(57)【要約】本発明は位置情報要求取消方法に関するもので、外部クライアントから特定端末に関する位置情報要求を受信したロケーションサーバが端末の位置情報を外部クライアントに送信できない場合、ロケーションサーバは、外部クライアントの取消要求なしに位置情報要求を取り消すことができる。ここで、位置情報要求取消メッセージは、位置情報要求メッセージに応じて、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージから選択されるか、又はＳｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒから選択される。
2008522541.tif 000002
【特許請求の範囲】
【請求項１】
ロケーションサーバが外部クライアントから特定端末に関する位置情報要求を受信する段階と、
前記ロケーションサーバが前記端末の位置追跡を行った後に前記端末のプライバシー情報を確認する段階と、
前記ロケーションサーバが前記端末のプライバシー情報に応じて前記位置情報要求を取り消す段階と
を含むことを特徴とする位置情報要求取消方法。
【請求項２】
前記外部クライアントがロケーションサービスクライアントであることを特徴とする請求項１に記載の位置情報要求取消方法。
【請求項３】
前記プライバシー情報を確認する段階は、
前記ロケーションサーバがプライバシーチェックエンティティに設定された前記端末のプライバシー情報を確認する段階であることを特徴とする請求項１に記載の位置情報要求取消方法。
【請求項４】
前記プライバシー情報が、前記端末、又は前記プライバシーチェックエンティティと連動する他の装置により設定されることを特徴とする請求項３に記載の位置情報要求取消方法。
【請求項５】
前記位置情報要求を取り消す段階は、
前記端末のプライバシーが「非公開」状態の場合、前記ロケーションサーバが位置情報要求取消メッセージを前記外部クライアントに送信する段階であることを特徴とする請求項１に記載の位置情報要求取消方法。
【請求項６】
前記位置情報要求取消メッセージは、前記位置情報要求が取り消される理由を示すパラメータを含むメッセージ、又は前記位置情報要求を取り消すための専用メッセージのいずれか一方であることを特徴とする請求項５に記載の位置情報要求取消方法。
【請求項７】
前記外部クライアントがＳｔａｎｄａｒｄ  Ｌｏｃａｔｉｏｎ  Ｉｍｍｅｄｉａｔｅサービスを利用する場合、前記位置情報要求取消メッセージが、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージであることを特徴とする請求項１に記載の位置情報要求取消方法。
【請求項８】
前記外部クライアントがＴｒｉｇｇｅｒｅｄ  Ｌｏｃａｔｉｏｎ  Ｒｅｐｏｒｔｉｎｇ  Ｒｅｑｕｅｓｔサービスを利用する場合、前記位置情報要求取消メッセージが、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージであることを特徴とする請求項１に記載の位置情報要求取消方法。
【請求項９】
ロケーションサーバが外部クライアントから特定端末に関する位置情報要求メッセージを受信する段階と、
前記端末が前記ロケーションサーバのサービスエリアに属する場合、前記ロケーションサーバが前記端末の位置を算出した後に前記端末のプライバシー情報を確認する段階と、
前記端末のプライバシーが「非公開」状態の場合、前記ロケーションサーバが、前記外部クライアントからの位置通知中断要求の受信なしに位置情報要求取消メッセージを送信する段階と
を含むことを特徴とする位置情報要求取消方法。
【請求項１０】
前記ロケーションサーバが、前記位置情報要求メッセージを受信すると、前記端末のプライバシー情報を確認する段階をさらに含むことを特徴とする請求項９に記載の位置情報要求取消方法。
【請求項１１】
前記端末が他のロケーションサーバのサービスエリアに属する場合、前記ロケーションサーバが前記端末の属するサービスエリアのロケーションサーバに位置情報要求メッセージを送信する段階と、
前記ロケーションサーバが、前記端末の属するサービスエリアのロケーションサーバから前記端末の位置情報を含む位置情報通知メッセージを受信した後、前記端末のプライバシー情報を確認する段階と
をさらに含むことを特徴とする請求項９に記載の位置情報要求取消方法。
【請求項１２】
前記位置情報要求メッセージ及び前記位置情報通知メッセージが、ＲＬＰ（Ｒｏａｍｉｎｇ  Ｌｏｃａｔｉｏｎ  Ｐｒｏｔｏｃｏｌ）を利用して伝送されることを特徴とする請求項１１に記載の位置情報要求取消方法。
【請求項１３】
前記位置情報要求メッセージ及び前記位置情報要求取消メッセージが、ＭＬＰ（Ｍｏｂｉｌｅ  Ｌｏｃａｔｉｏｎ  Ｐｒｏｔｏｃｏｌ）を利用して伝送されることを特徴とする請求項９に記載の位置情報要求取消方法。
【請求項１４】
前記位置情報要求取消メッセージは、前記位置情報要求が前記端末のプライバシー情報のアップデートにより取り消されることを示すパラメータを含むことを特徴とする請求項９に記載の位置情報要求取消方法。
【請求項１５】
前記プライバシー情報が「公開」状態から「非公開」状態にアップデートされることを特徴とする請求項１４に記載の位置情報要求取消方法。
【請求項１６】
前記位置情報要求取消メッセージが、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージであることを特徴とする請求項９に記載の位置情報要求取消方法。
【請求項１７】
前記位置情報要求取消メッセージが、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージであることを特徴とする請求項９に記載の位置情報要求取消方法。
【請求項１８】
第１ロケーションサーバが外部クライアントから特定端末に関する位置情報要求メッセージを受信する段階と、
前記端末が第２ロケーションサーバのサービスエリアに属する場合、前記第１ロケーションサーバが前記端末に関する位置情報要求メッセージを前記第２ロケーションサーバに送信する段階と、
前記端末のプライバシーが「非公開」状態の場合、前記第１ロケーションサーバが、前記外部クライアントからの位置通知中断要求の受信なしに位置情報要求取消メッセージを送信する段階と
を含むことを特徴とする位置情報要求取消方法。
【請求項１９】
前記第１ロケーションサーバが、前記位置情報要求メッセージを受信すると、前記端末のプライバシー情報を確認する段階をさらに含むことを特徴とする請求項１８に記載の位置情報要求取消方法。
【請求項２０】
前記位置情報要求取消メッセージが、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージであることを特徴とする請求項１８に記載の位置情報要求取消方法。
【請求項２１】
前記位置情報要求取消メッセージが、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージであることを特徴とする請求項１８に記載の位置情報要求取消方法。
【請求項２２】
前記位置情報要求取消メッセージは、前記端末のプライバシー情報がアップデートされたことを示すパラメータを含むメッセージ、又は前記位置情報要求を取り消すための専用メッセージのいずれか一方であることを特徴とする請求項２０又は２１に記載の位置情報要求取消方法。
【請求項２３】
ロケーションサーバのサービスエリアに属する端末の位置情報を送信する方法において、
前記ロケーションサーバが前記端末の位置情報を要求するＳｔａｎｄａｒｄ  Ｌｏｃａｔｉｏｎ  Ｉｍｍｅｄｉａｔｅ  Ｒｅｑｕｅｓｔメッセージを受信する段階と、
前記ロケーションサーバが前記端末の位置を算出した後に前記端末のプライバシー情報を確認する段階と、
前記端末のプライバシーが「非公開」状態の場合、前記ロケーションサーバが、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージのいずれか一方を選択的に送信する段階と
を含むことを特徴とする位置情報要求取消方法。
【請求項２４】
前記Ｓｔａｎｄａｒｄ  Ｌｏｃａｔｉｏｎ  Ｉｍｍｅｄｉａｔｅ  Ｒｅｑｕｅｓｔメッセージを受信したロケーションサーバが前記端末のプライバシー情報を確認する段階をさらに含むことを特徴とする請求項２３に記載の位置情報要求取消方法。
【請求項２５】
前記Ｓｔａｎｄａｒｄ  Ｌｏｃａｔｉｏｎ  Ｉｍｍｅｄｉａｔｅ  Ｒｅｐｏｒｔメッセージ及び前記Ｓｔａｎｄａｒｄ  Ｌｏｃａｔｉｏｎ  Ｉｍｍｅｄｉａｔｅ  Ｓｔｏｐ  Ａｎｓｗｅｒメッセージは、前記プライバシー情報がアップデートされたことを示すパラメータを含むことを特徴とする請求項２３に記載の位置情報要求取消方法。
【請求項２６】
ロケーションサーバのサービスエリアに属する端末の位置情報を送信する方法において、
前記ロケーションサーバが前記端末の位置情報を要求するＴｒｉｇｇｅｒｅｄ  Ｌｏｃａｔｉｏｎ  Ｒｅｐｏｒｔｉｎｇ  Ｒｅｑｕｅｓｔメッセージを受信する段階と、
前記Ｔｒｉｇｇｅｒｅｄ  Ｌｏｃａｔｉｏｎ  Ｒｅｐｏｒｔｉｎｇ  Ｒｅｑｕｅｓｔメッセージに設定された条件を満たす場合、前記ロケーションサーバが前記端末の位置を算出した後に前記端末のプライバシー情報を確認する段階と、
前記端末のプライバシーが「非公開」状態の場合、前記ロケーションサーバが、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージのいずれか一方を選択的に送信する段階と
を含むことを特徴とする位置情報要求取消方法。
【請求項２７】
前記条件が、前記端末の位置追跡を行わなければならない時間間隔又はイベントであることを特徴とする請求項２６に記載の位置情報要求取消方法。
【請求項２８】
前記Ｔｒｉｇｇｅｒｅｄ  Ｌｏｃａｔｉｏｎ  Ｒｅｐｏｒｔｉｎｇ  Ｒｅｑｕｅｓｔメッセージを受信したロケーションサーバが前記端末のプライバシー情報を確認する段階をさらに含むことを特徴とする請求項２６に記載の位置情報要求取消方法。
【請求項２９】
前記Ｔｒｉｇｇｅｒｅｄ  Ｌｏｃａｔｉｏｎ  Ｒｅｐｏｒｔメッセージ及び前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージは、前記プライバシー情報がアップデートされたことを示すパラメータを含むことを特徴とする請求項２６に記載の位置情報要求取消方法。
【請求項３０】
第１ロケーションサーバが第２ロケーションサーバのサービスエリアに属する端末の位置情報を送信する方法において、
前記第１ロケーションサーバが前記端末の位置情報を要求するＳｔａｎｄａｒｄ  Ｌｏｃａｔｉｏｎ  Ｉｍｍｅｄｉａｔｅ  Ｒｅｑｕｅｓｔメッセージを受信する段階と、
前記第１ロケーションサーバが前記第２ロケーションサーバに前記端末に関する位置情報要求メッセージを送信し、前記端末の位置情報を含む位置情報通知メッセージを受信する段階と、
前記第１ロケーションサーバが前記端末のプライバシー情報を確認する段階と、
前記端末のプライバシーが「非公開」状態の場合、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージのいずれか一方を選択的に送信する段階と
を含むことを特徴とする位置情報要求取消方法。
【請求項３１】
前記Ｓｔａｎｄａｒｄ  Ｌｏｃａｔｉｏｎ  Ｉｍｍｅｄｉａｔｅ  Ｒｅｑｕｅｓｔメッセージを受信した第１ロケーションサーバが前記端末のプライバシー情報を確認する段階をさらに含むことを特徴とする請求項３０に記載の位置情報要求取消方法。
【請求項３２】
前記Ｓｔａｎｄａｒｄ  Ｌｏｃａｔｉｏｎ  Ｉｍｍｅｄｉａｔｅ  Ｒｅｐｏｒｔメッセージ及び前記Ｓｔａｎｄａｒｄ  Ｌｏｃａｔｉｏｎ  Ｉｍｍｅｄｉａｔｅ  Ｓｔｏｐ  Ａｎｓｗｅｒメッセージは、前記プライバシー情報がアップデートされたことを示すパラメータを含むことを特徴とする請求項３０に記載の位置情報要求取消方法。
【請求項３３】
第１ロケーションサーバが第２ロケーションサーバのサービスエリアに属する端末の位置情報を送信する方法において、
前記第１ロケーションサーバが前記端末の位置情報を要求するＴｒｉｇｇｅｒｅｄ  Ｌｏｃａｔｉｏｎ  Ｒｅｐｏｒｔｉｎｇ  Ｒｅｑｕｅｓｔメッセージを受信する段階と、
前記第１ロケーションサーバが前記第２ロケーションサーバに前記端末に関する位置情報要求メッセージを送信し、前記端末の位置情報を含む位置情報通知メッセージを受信する段階と、
前記第１ロケーションサーバが前記端末のプライバシー情報を確認する段階と、
前記端末のプライバシーが「非公開」状態の場合、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージのいずれか一方を選択的に送信する段階と
を含むことを特徴とする位置情報要求取消方法。
【請求項３４】
前記第２ロケーションサーバが、前記Ｔｒｉｇｇｅｒｅｄ  Ｌｏｃａｔｉｏｎ  Ｒｅｐｏｒｔｉｎｇ  Ｒｅｑｕｅｓｔメッセージに設定された条件を満たすと、前記端末の位置追跡を行うことを特徴とする請求項３３に記載の位置情報要求取消方法。
【請求項３５】
前記条件が、前記端末の位置追跡を行わなければならない時間間隔又はイベントであることを特徴とする請求項３４に記載の位置情報要求取消方法。
【請求項３６】
前記Ｔｒｉｇｇｅｒｅｄ  Ｌｏｃａｔｉｏｎ  Ｒｅｐｏｒｔｉｎｇ  Ｒｅｑｕｅｓｔメッセージを受信した第１ロケーションサーバが前記端末のプライバシー情報を確認する段階をさらに含むことを特徴とする請求項３３に記載の位置情報要求取消方法。
【請求項３７】
前記Ｔｒｉｇｇｅｒｅｄ  Ｌｏｃａｔｉｏｎ  Ｒｅｐｏｒｔメッセージ及び前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージは、前記プライバシー情報がアップデートされたことを示すパラメータを含むことを特徴とする請求項３３に記載の位置情報要求取消方法。
【請求項３８】
外部クライアントから端末に関する位置情報要求を受信するトランシーバモジュールと、
前記位置情報要求が受信されると前記端末のプライバシー情報を確認するプライバシーチェックモジュールと、
前記トランシーバモジュール及び前記プライバシーチェックモジュールと連動して、前記確認されたプライバシー情報に応じて前記受信された位置情報要求を取り消すプロセッサと
を含むことを特徴とする位置情報要求取消方法を行うロケーションサーバ。
【請求項３９】
前記トランシーバモジュールは、前記受信された位置情報要求を取り消すための位置情報要求取消を前記外部クライアントに送信することを特徴とする請求項３８に記載の位置情報要求取消方法を行うロケーションサーバ。
【請求項４０】
前記端末が前記ロケーションサーバのサービスエリアに属する場合、前記プロセッサは前記端末の位置を算出し、
前記端末のプライバシー情報が公開状態でない場合、前記トランシーバモジュールは、前記外部クライアントの位置通知中断要求なしに前記位置情報要求取消を送信することを特徴とする請求項３９に記載の位置情報要求取消方法を行うロケーションサーバ。
【請求項４１】
前記端末が他のロケーションサーバのサービスエリアに属する場合、前記ロケーションサーバが前記位置情報要求を前記他のロケーションサーバに送信し、
前記端末のプライバシー情報が公開状態でない場合、前記トランシーバモジュールは、前記外部クライアントからの位置通知中断要求の受信なしに前記位置情報要求取消を送信することを特徴とする請求項３９に記載の位置情報要求取消方法を行うロケーションサーバ。
【請求項４２】
前記位置情報要求がＳｔａｎｄａｒｄ  Ｌｏｃａｔｉｏｎ  Ｉｍｍｅｄｉａｔｅ  Ｒｅｑｕｅｓｔメッセージで、かつ前記端末のプライバシー情報が公開状態でない場合、前記プロセッサと前記トランシーバモジュールとは連動して、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージのいずれか一方を選択的に送信することを特徴とする請求項４０に記載の位置情報要求取消方法を行うロケーションサーバ。
【請求項４３】
前記位置情報要求がＴｒｉｇｇｅｒｅｄ  Ｌｏｃａｔｉｏｎ  Ｒｅｐｏｒｔｉｎｇ  Ｒｅｑｕｅｓｔメッセージで、かつ前記Ｔｒｉｇｇｅｒｅｄ  Ｌｏｃａｔｉｏｎ  Ｒｅｐｏｒｔｉｎｇ  Ｒｅｑｕｅｓｔメッセージの条件を満たす場合、前記端末の位置を算出して前記プライバシー情報を確認し、
前記端末のプライバシー情報が公開状態でない場合、前記プロセッサと前記トランシーバモジュールとは連動して、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージのいずれか一方を選択的に送信することを特徴とする請求項４０に記載の位置情報要求取消方法を行うロケーションサーバ。
【請求項４４】
前記位置情報要求がＳｔａｎｄａｒｄ  Ｌｏｃａｔｉｏｎ  Ｉｍｍｅｄｉａｔｅ  Ｒｅｑｕｅｓｔメッセージの場合、前記端末に関する位置情報要求メッセージを前記他のロケーションサーバに送信し、前記端末の位置情報を含む位置情報通知メッセージを前記他のロケーションサーバから受信し、
前記端末のプライバシー情報が公開状態でない場合、前記プロセッサと前記トランシーバモジュールとは連動して、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージのいずれか一方を選択的に送信することを特徴とする請求項４１に記載の位置情報要求取消方法を行うロケーションサーバ。
【請求項４５】
前記位置情報要求がＴｒｉｇｇｅｒｅｄ  Ｌｏｃａｔｉｏｎ  Ｒｅｐｏｒｔｉｎｇ  Ｒｅｑｕｅｓｔメッセージの場合、前記端末に関する位置情報要求メッセージを前記他のロケーションサーバに送信し、前記端末の位置情報を含む位置情報通知メッセージを前記他のロケーションサーバから受信し、
前記端末のプライバシー情報が公開状態でない場合、前記プロセッサと前記トランシーバモジュールとは連動して、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージのいずれか一方を選択的に送信することを特徴とする請求項４１に記載の位置情報要求取消方法を行うロケーションサーバ。
【請求項４６】
前記位置情報要求取消は、前記位置情報要求が取り消される理由を示すパラメータを含むことを特徴とする請求項３９に記載の位置情報要求取消方法を行うロケーションサーバ。
【請求項４７】
前記受信された位置情報要求は、前記端末のプライバシー情報がアップデートされる場合に取り消されることを特徴とする請求項３９に記載の位置情報要求取消方法を行うロケーションサーバ。
【発明の詳細な説明】
【技術分野】
【０００１】
本発明は位置情報要求取消方法に関し、特に位置追跡の対象となる端末のプライバシー情報による位置情報要求取消方法に関する。
【背景技術】
【０００２】
一般に、移動通信システムは、移動通信ネットワークに端末（例えば、移動局）の位置を計算するための関連機能部を備えることにより、周期的に又は要求に応じて、前記端末の位置を特定エンティティに伝えるロケーションサービスを提供する。
【０００３】
前記端末の位置を計算する方法としては、前記端末が属するセルのＩＤを伝えるセルＩＤ方式、前記端末から各隣接基地局に電波が届く時間を測定した後、三角測量を利用して前記端末の位置を計算する方法、及びＧＰＳ（Ｇｌｏｂａｌ  Ｐｏｓｉｔｉｏｎｉｎｇ  Ｓｙｓｔｅｍ）を利用する方法などがある。
【０００４】
従来のロケーションサービスにおいては、特定ロケーションサービスクライアント（Ｌｏｃａｔｉｏｎ  Ｓｅｒｖｉｃｅ  Ｃｌｉｅｎｔ；以下、ＬＣＳクライアントという）が端末の位置情報を周期的に又は直ちに要求すると、ロケーションサーバは、前記端末の位置追跡を行って位置値（位置情報）を算出した後、前記ＬＣＳクライアントに送信する。ここで、前記位置情報を要求したＬＣＳクライアントは前記位置情報要求を取り消すこともできる。
【０００５】
しかし、前記ロケーションサーバが前記ＬＣＳクライアントから要求された端末の位置追跡を行えない場合、前記ロケーションサーバは、前記ＬＣＳクライアントに前記端末の位置情報を送信することができないだけでなく、前記要求を取り消すこともできない。また、前記ＬＣＳクライアントは、要求した前記端末の位置追跡を前記ロケーションサーバが行えないことが分からないため、前記ロケーションサーバから位置情報が提供されない場合、継続して前記端末の位置情報を要求することもある。
【０００６】
前述のように、従来のロケーションサービスは、特定端末に関する位置情報を要求したＬＣＳクライアントは前記要求を取り消すことができるが、前記ロケーションサーバが前記ＬＣＳクライアントによる位置追跡の要求を取り消す方法については定義していないという問題があった。
【０００７】
従って、ロケーションサーバがＬＣＳクライアントから要求された端末の位置追跡を行えない場合、前記ＬＣＳクライアントは前記ロケーションサーバに継続して前記端末に関する位置情報を要求するため、通信ネットワークの使用が非効率的であるだけでなく、前記ロケーションサーバの負荷が増加するという問題があった。
【発明の開示】
【発明が解決しようとする課題】
【０００８】
そこで、本発明は、ロケーションサーバが独自にＬＣＳクライアントから送信された位置情報要求を取り消すことのできる位置情報要求取消方法を提供することを目的とする。
【０００９】
本発明の他の目的は、ＬＣＳクライアントにより位置情報が要求された端末のプライバシー情報のアップデートに応じて、ロケーションサーバが独自に位置情報要求を取り消すことのできる位置情報要求取消方法を提供することにある。
【課題を解決するための手段】
【００１０】
上記の目的を達成するために、本発明による位置情報要求取消方法は、ロケーションサーバが特定端末に関する位置情報要求を受信しても前記端末の位置情報を提供できない場合、前記ロケーションサーバが前記位置情報要求の取消を開始するように構成される。
【００１１】
本発明による位置情報要求取消方法は、外部クライアントがロケーションサーバに特定端末に関する位置情報を要求する段階と、前記ロケーションサーバが前記端末のプライバシー情報を確認する段階と、前記ロケーションサーバが前記端末のプライバシー情報に応じて前記位置情報要求を取り消す段階とから構成される。
【００１２】
本発明による位置情報要求取消方法は、ロケーションサーバが特定端末に関する位置情報要求メッセージを受信する段階と、前記端末が前記ロケーションサーバのサービスエリアに属すると、前記ロケーションサーバが前記端末の位置を算出して前記端末のプライバシー情報を確認する段階と、前記端末のプライバシーが「非公開」状態であると、前記ロケーションサーバが位置情報要求取消メッセージを送信する段階とから構成される。
【００１３】
本発明による位置情報要求取消方法は、第１ロケーションサーバが特定端末に関する位置情報要求メッセージを受信する段階と、前記端末が第２ロケーションサーバのサービスエリアに属すると、前記第１ロケーションサーバが前記第２ロケーションサーバに前記端末に関する位置情報要求メッセージを送信する段階と、前記端末のプライバシーが「非公開」状態であると、前記第１ロケーションサーバが位置情報要求取消メッセージを送信する段階とから構成される。
【００１４】
ロケーションサーバのサービスエリアに属する端末の位置情報を送信する場合、本発明による位置情報要求取消方法は、前記ロケーションサーバが前記端末に関する位置情報を要求するＳｔａｎｄａｒｄ  Ｌｏｃａｔｉｏｎ  Ｉｍｍｅｄｉａｔｅ  Ｒｅｑｕｅｓｔメッセージを受信する段階と、前記ロケーションサーバが前記端末の位置を算出して前記端末のプライバシー情報を確認する段階と、前記端末のプライバシーが「非公開」状態であると、前記ロケーションサーバがＳｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信する段階とから構成される。
【００１５】
ロケーションサーバのサービスエリアに属する端末の位置情報を送信する場合、本発明による位置情報要求取消方法は、前記ロケーションサーバが前記端末に関する位置情報を要求するＴｒｉｇｇｅｒｅｄ  Ｌｏｃａｔｉｏｎ  Ｒｅｐｏｒｔｉｎｇ  Ｒｅｑｕｅｓｔメッセージを受信する段階と、前記Ｔｒｉｇｇｅｒｅｄ  Ｌｏｃａｔｉｏｎ  Ｒｅｐｏｒｔｉｎｇ  Ｒｅｑｕｅｓｔメッセージに設定された条件を満たすと、前記ロケーションサーバが前記端末の位置を算出して前記端末のプライバシー情報を確認する段階と、前記端末のプライバシーが「非公開」状態であると、前記ロケーションサーバがＴｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージを選択的に送信する段階とから構成される。
【００１６】
第１ロケーションサーバが第２ロケーションサーバのサービスエリアに属する端末の位置情報を送信する場合、本発明による位置情報要求取消方法は、前記第１ロケーションサーバが前記端末に関する位置情報を要求するＳｔａｎｄａｒｄ  Ｌｏｃａｔｉｏｎ  Ｉｍｍｅｄｉａｔｅ  Ｒｅｑｕｅｓｔメッセージを受信する段階と、前記第１ロケーションサーバが前記第２ロケーションサーバに前記端末に関する位置情報要求メッセージを送信し、前記端末の位置情報を含む位置情報通知メッセージを受信する段階と、前記第１ロケーションサーバが前記端末のプライバシー情報を確認する段階と、前記端末のプライバシーが「非公開」状態であると、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信する段階とから構成される。
【００１７】
第１ロケーションサーバが第２ロケーションサーバのサービスエリアに属する端末の位置情報を送信する場合、本発明による位置情報要求取消方法は、前記第１ロケーションサーバが前記端末に関する位置情報を要求するＴｒｉｇｇｅｒｅｄ  Ｌｏｃａｔｉｏｎ  Ｒｅｐｏｒｔｉｎｇ  Ｒｅｑｕｅｓｔメッセージを受信する段階と、前記第１ロケーションサーバが前記第２ロケーションサーバに前記端末に関する位置情報要求メッセージを送信し、前記端末の位置情報を含む位置情報通知メッセージを受信する段階と、前記第１ロケーションサーバが前記端末のプライバシー情報を確認する段階と、前記端末のプライバシーが「非公開」状態であると、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージを選択的に送信する段階とから構成される。
【発明の効果】
【００１８】
本発明による位置情報要求取消方法は、ロケーションサーバがＬＣＳクライアントから要求された端末の位置情報を送信できない場合、前記ロケーションサーバが独自に前記位置情報要求を取り消すことができるという効果がある。
【００１９】
また、本発明による位置情報要求取消方法は、前記ＬＣＳクライアントから要求された端末のプライバシー情報のアップデートにより、前記ロケーションサーバが前記端末の位置情報を送信できない場合、前記ロケーションサーバが前記ＬＣＳクライアントに位置情報要求取消メッセージを送信することにより、位置追跡に対するプライバシーをリアルタイムに反映することができるという効果がある。さらに、前記ロケーションサーバが前記ＬＣＳクライアントから要求された端末の位置情報を送信できない場合、前記ＬＣＳクライアントの要求を取り消すことにより、前記ＬＣＳクライアントが再び位置情報の要求を発生させることを防止することができる。
【発明を実施するための最良の形態】
【００２０】
以下、添付図面を参照して本発明による位置情報要求取消方法の好ましい実施形態について説明する。
【００２１】
本発明は、ＬＣＳクライアントから特定端末（例えば、移動局、ハンドセット、無線通信装置など）に関する位置情報要求を受信したロケーションサーバが前記端末の位置追跡を行えない場合、前記ロケーションサーバが位置情報要求取消メッセージを前記ＬＣＳクライアントに送信する位置情報要求取消方法に関するものである。ここで、前記ロケーションサーバが前記ＬＣＳクライアントに送信する位置情報要求取消メッセージは、ＭＬＰ（Ｍｏｂｉｌｅ  Ｌｏｃａｔｉｏｎ  Ｐｒｏｔｏｃｏｌ）に定義されたＴｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージ、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージである。
【００２２】
前記ロケーションサーバは、前記ＬＣＳクライアントからＳｔａｎｄａｒｄ  Ｌｏｃａｔｉｏｎ  Ｒｅｐｏｒｔ  Ｒｅｑｕｅｓｔメッセージを受信した場合、Ｓｔａｎｄａｒｄ  Ｌｏｃａｔｉｏｎ  Ｒｅｐｏｒｔメッセージを送信し、前記ＬＣＳクライアントからＴｒｉｇｇｅｒｅｄ  Ｌｏｃａｔｉｏｎ  Ｒｅｐｏｒｔ  Ｒｅｑｕｅｓｔメッセージを受信した場合、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージを送信する。
【００２３】
前記位置情報要求取消メッセージとして、前記Ｔｒｉｇｇｅｒｅｄ  Ｌｏｃａｔｉｏｎ  Ｒｅｐｏｒｔメッセージ、Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージ、及びＳｔａｎｄａｒｄ  Ｌｏｃａｔｉｏｎ  Ｒｅｐｏｒｔメッセージが使用される場合、前記メッセージ内に前記位置情報要求が取り消される理由を示すパラメータが追加される。
【００２４】
図１は本発明によるロケーションサービス提供システムの構成を示すブロック図である。本発明によるロケーションサービス提供システムは、ホームロケーションサーバ１３０が端末１５０の位置追跡を行う第１サービスエリア１００と、ビジットロケーションサーバ２３０が端末１５０の位置追跡を行う第２サービスエリア２００とに区分される。
【００２５】
第１サービスエリア１００は、位置追跡の対象となる端末１５０の位置情報を要求するＬＣＳクライアント１１０と、ＬＣＳクライアント１１０に端末１５０の位置情報を提供するホームロケーションサーバ１３０と、ＬＣＳクライアント１１０とホームロケーションサーバ１３０との間でプロキシの役割を果たすリクエストロケーションサーバ１２０と、端末１５０に関するプライバシー情報が保存されたプライバシーチェックエンティティ（Ｐｒｉｖａｃｙ  Ｃｈｅｃｋ  Ｅｎｔｉｔｙ；ＰＣＥ）１４０とを含む。また、第２サービスエリア２００は、端末１５０が第２サービスエリア２００に属する場合に端末１５０の位置追跡を行って取得した位置情報をホームロケーションサーバ１３０に送信するビジットロケーションサーバ２３０を含む。
【００２６】
端末１５０が第１サービスエリア１００に属する場合、ホームロケーションサーバ１３０は、ＬＣＳクライアント１１０の位置情報要求メッセージを受信すると、プライバシーチェックエンティティ１４０に保存された端末１５０のプライバシー情報に応じて、位置情報通知メッセージ又は位置情報要求取消メッセージをＬＣＳクライアント１１０に送信する。ここで、前記プライバシー情報は、端末１５０の位置情報が公開状態であるか非公開状態であるかを通知する情報であり、端末１５０又は他の連動可能な装置によりプライバシーチェックエンティティ１４０に保存される。
【００２７】
一方、端末１５０が第２サービスエリア２００に属する場合、ホームロケーションサーバ１３０は、直接端末１５０の位置を把握できないため、位置情報要求メッセージをビジットロケーションサーバ２３０に送信する。ビジットロケーションサーバ２３０は、端末１５０の位置情報が含まれている位置情報通知メッセージをホームロケーションサーバ１３０に送信し、ホームロケーションサーバ１３０は、プライバシーチェックエンティティ１４０から端末１５０のプライバシー情報を確認する。ホームロケーションサーバ１３０は、前記プライバシー情報により端末１５０の位置情報が非公開状態であることが確認されると、位置情報要求取消メッセージをＬＣＳクライアント１１０及びビジットロケーションサーバ２３０に送信する。
【００２８】
ここで、前記ＬＣＳクライアントと前記リクエストロケーションサーバとの間で伝送される位置情報要求メッセージ、位置情報通知メッセージ、及び位置情報要求取消メッセージは、ＭＬＰ（Ｍｏｂｉｌｅ  Ｌｏｃａｔｉｏｎ  Ｐｒｏｔｏｃｏｌ）であり、前記リクエストロケーションサーバと前記ホームロケーションサーバとの間、前記ホームロケーションサーバと前記ビジットロケーションサーバとの間で伝送される位置情報要求メッセージ、位置情報通知メッセージ、及び位置情報要求取消メッセージは、ＲＬＰ（Ｒｏａｍｉｎｇ  Ｌｏｃａｔｉｏｎ  Ｐｒｏｔｏｃｏｌ）である。前記ＭＬＰは、外部ＬＣＳクライアントとロケーションサーバ間のアプリケーションプロトコルであり、前記ＲＬＰは、ロケーションサーバとロケーションサーバ間のアプリケーションプロトコルである。
【００２９】
図２は本発明によるＬＣＳクライアントとロケーションサーバ間の位置情報要求取消方法を示し、ＬＣＳクライアントとロケーションサーバ間のメッセージの伝送にはＭＬＰを使用する。図２に示すように、ＬＣＳクライアントは、特定端末に関する位置情報を要求するために、Ｔｒｉｇｇｅｒｅｄ  Ｌｏｃａｔｉｏｎ  Ｒｅｐｏｒｔｉｎｇ  Ｒｅｑｕｅｓｔメッセージをロケーションサーバに送信し、前記ロケーションサーバは、応答メッセージとして、Ｔｒｉｇｇｅｒｅｄ  Ｌｏｃａｔｉｏｎ  Ｒｅｐｏｒｔｉｎｇ  Ａｎｓｗｅｒメッセージを送信する。その後、前記ロケーションサーバは、前記Ｔｒｉｇｇｅｒｅｄ  Ｌｏｃａｔｉｏｎ  Ｒｅｐｏｒｔｉｎｇ  Ｒｅｑｕｅｓｔメッセージに設定された時間間隔で、又は予め設定された特定イベント発生時、前記端末の位置追跡を行い、これにより取得した位置情報が含まれているＴｒｉｇｇｅｒｅｄ  Ｌｏｃａｔｉｏｎ  ＲｅｐｏｒｔメッセージをＬＣＳクライアントに送信する。
【００３０】
前記ロケーションサーバが一方的に位置通知を終了することを決定すると、前記Ｔｒｉｇｇｅｒｅｄ  Ｌｏｃａｔｉｏｎ  Ｒｅｐｏｒｔメッセージに通知中断情報（ｓｔｏｐ  ｒｅｐｏｒｔｉｎｇ  ｉｎｆｏｒｍａｔｉｏｎ）を含まなければならない。前記Ｔｒｉｇｇｅｒｅｄ  Ｌｏｃａｔｉｏｎ  Ｒｅｐｏｒｔｉｎｇ  Ｒｅｑｕｅｓｔメッセージの取消は、プライバシープロファイルアップデートなどの特定の理由で、前記ロケーションサーバが独自に開始することができる。この場合、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージを送信することができる。
【００３１】
前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒ（ＴＬＲＳＡ）メッセージの一部をＸＭＬで実現すると次のとおりである。
【００３２】
＜！ＥＮＴＩＴＹ  ％  ｅｘｔｅｎｓｉｏｎ．ｐａｒａｍ  “”＞
＜！ＥＬＥＭＥＮＴ  ｔｌｒｓａ  （（ｒｅｑ＿ｉｄ  ｃ  （ｒｅｓｕｌｔ，  ａｄｄ＿ｉｎｆｏ？））  ％ｅｘｔｅｎｓｉｏｎ．ｐａｒａｍ；）＞
＜！ＡＴＴＬＩＳＴ  ｔｌｒｓａ
ｖｅｒ  ＣＤＡＴＡ  ＃ＦＩＸＥＤ  “３．０．０”＞
前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージには、前記ロケーションサーバが行った位置追跡の結果情報が含まれ、前記結果情報は、前記ＬＣＳクライアントの要求に対する結果、位置値、及び個別的位置追跡の少なくとも１つを示す「Ｒｅｓｕｌｔ  Ｃｏｄｅ」により提供される。
【００３３】
図３は本発明によるロケーションサーバ間の位置情報要求取消方法を示し、図示のメッセージはＲＬＰを使用して伝送される。図３に示すように、ロケーションサーバＡは、ロケーションサーバＢのエリアに属する端末の位置情報を要求するために、Ｔｒｉｇｇｅｒｅｄ  Ｒｏａｍｉｎｇ  Ｌｏｃａｔｉｏｎ  Ｒｅｐｏｒｔｉｎｇ  ＲｅｑｕｅｓｔメッセージをロケーションサーバＢに送信し、ロケーションサーバＢは、応答メッセージとして、Ｔｒｉｇｇｅｒｅｄ  Ｒｏａｍｉｎｇ  Ｌｏｃａｔｉｏｎ  Ｒｅｐｏｒｔｉｎｇ  Ａｎｓｗｅｒメッセージを送信する。その後、ロケーションサーバＢは、前記Ｔｒｉｇｇｅｒｅｄ  Ｒｏａｍｉｎｇ  Ｌｏｃａｔｉｏｎ  Ｒｅｐｏｒｔｉｎｇ  Ｒｅｑｕｅｓｔメッセージに設定された時間間隔で、又は予め設定された特定イベント発生時、前記端末の位置追跡を行い、これにより取得した位置情報が含まれているＴｒｉｇｇｅｒｅｄ  Ｒｏａｍｉｎｇ  Ｌｏｃａｔｉｏｎ  ＲｅｐｏｒｔメッセージをロケーションサーバＡに送信する。
【００３４】
その後、ロケーションサーバＡがＴｒｉｇｇｅｒｅｄ  Ｒｏａｍｉｎｇ  Ｌｏｃａｔｉｏｎ  Ｒｅｐｏｒｔｉｎｇ  Ｓｔｏｐ  ＲｅｑｕｅｓｔメッセージをロケーションサーバＢに送信すると、ロケーションサーバＢは、位置追跡過程を中断し、Ｔｒｉｇｇｅｒｅｄ  Ｒｏａｍｉｎｇ  Ｌｏｃａｔｉｏｎ  Ｒｅｐｏｒｔｉｎｇ  Ｓｔｏｐ  ＡｎｓｗｅｒメッセージをロケーションサーバＡに送信する。ここで、ロケーションサーバＢは、Ｔｒｉｇｇｅｒｅｄ  Ｒｏａｍｉｎｇ  Ｌｏｃａｔｉｏｎ  Ｒｅｐｏｒｔｉｎｇ  Ｓｔｏｐ  Ｒｅｑｕｅｓｔメッセージを受信していない場合も、独自に位置追跡過程を中断し、Ｔｒｉｇｇｅｒｅｄ  Ｒｏａｍｉｎｇ  Ｌｏｃａｔｉｏｎ  Ｒｅｐｏｒｔｉｎｇ  Ｓｔｏｐ  ＡｎｓｗｅｒメッセージをロケーションサーバＡに送信することができる。すなわち、前記Ｔｒｉｇｇｅｒｅｄ  Ｒｏａｍｉｎｇ  Ｌｏｃａｔｉｏｎ  Ｒｅｐｏｒｔｉｎｇ  Ｒｅｑｕｅｓｔメッセージの取消は、プライバシー情報のアップデートなどの理由で、どのロケーションサーバによっても開始することができる。
【００３５】
前記Ｔｒｉｇｇｅｒｅｄ  Ｒｏａｍｉｎｇ  Ｌｏｃａｔｉｏｎ  Ｒｅｐｏｒｔｉｎｇ  Ｓｔｏｐ  Ａｎｓｗｅｒ（ＴＲＬＲＳＡ）メッセージの一部をＸＭＬで実現すると次のとおりである。
＜！ＥＮＴＩＴＹ  ％  ｅｘｔｅｎｓｉｏｎ．ｐａｒａｍ  “”＞
＜！ＥＬＥＭＥＮＴ  ｔｒｌｒｓａ  （（ｒｅｑ＿ｉｄ  ｃ  （ｒｅｓｕｌｔ，  ａｄｄ＿ｉｎｆｏ？））  ％ｅｘｔｅｎｓｉｏｎ．ｐａｒａｍ；）＞
＜！ＡＴＴＬＩＳＴ  ｔｒｌｒｓａ
ｖｅｒ  ＣＤＡＴＡ  ＃ＦＩＸＥＤ  “１．０．０”＞
前記Ｔｒｉｇｇｅｒｅｄ  Ｒｏａｍｉｎｇ  Ｌｏｃａｔｉｏｎ  Ｒｅｐｏｒｔｉｎｇ  Ｓｔｏｐ  Ａｎｓｗｅｒメッセージに含まれる結果情報は、ＭＬＰで定義された「Ｒｅｓｕｌｔ  Ｃｏｄｅ」を参照して構成される。
【００３６】
図４は本発明によるロケーションサービス方法を示す図であり、これを参照してホームロケーションサーバで行われるサービス過程を説明する。
【００３７】
ホームロケーションサーバは、ＬＣＳクライアントから位置追跡の対象となる端末に関する位置情報要求メッセージを受信すると（Ｓ１０）、前記端末のプライバシー情報を確認する（Ｓ１１）。前記プライバシー情報は、前記端末の位置情報が公開状態であるか否かを通知するものであり、前記端末又は他の連動可能な外部装置によりプライバシーチェックエンティティに設定される。
【００３８】
前記端末のプライバシー情報が公開状態に設定された場合、前記ＬＣＳクライアントは、ＨＬＲ（Ｈｏｍｅ  Ｌｏｃａｔｉｏｎ  Ｒｅｇｉｓｔｅｒ）により前記端末が属するサービスエリアを調べる（Ｓ１２）。前記端末がホームサービスエリアに存在すると、前記ホームロケーションサーバは、前記端末の位置値を算出し（Ｓ１６）、前記端末のプライバシー情報を再び確認する（Ｓ１７）。アップデートにより前記端末のプライバシー情報が非公開状態に設定されると、前記ホームロケーションサーバは、前記端末に関する位置情報要求取消メッセージを前記ＬＣＳクライアントに送信する（Ｓ１８）。しかし、前記端末のプライバシー情報が依然として公開状態に設定されていると、前記ホームロケーションサーバは、前記端末に関する位置情報通知メッセージを前記ＬＣＳクライアントに送信する（Ｓ１９）。前記位置情報通知メッセージには、前記ホームロケーションサーバが算出した前記端末の位置値が含まれている。
【００３９】
一方、前記端末がホームサービスエリアに存在しないと、前記ホームロケーションサーバは、前記端末が属するエリアのロケーションサーバ（ビジットロケーションサーバ）に位置情報要求メッセージを送信し（Ｓ１３）、前記ビジットロケーションサーバは、前記端末の位置値を算出し（Ｓ１４）、前記端末に関する位置情報通知メッセージを前記ホームロケーションサーバに送信する（Ｓ１５）。前記位置情報通知メッセージを受信したホームロケーションサーバは、前記プライバシー情報がアップデートされたか否かを確認する（Ｓ１７）。前記プライバシー情報がアップデートされて非公開状態に設定された場合、前記ホームロケーションサーバは、前記端末に関する位置情報要求取消メッセージを前記ＬＣＳクライアントに送信する（Ｓ１８）。前記端末のプライバシー情報がアップデートされていない場合、前記ホームロケーションサーバは、前記端末に関する位置情報通知メッセージを前記ＬＣＳクライアントに送信する（Ｓ１９）。
【００４０】
しかし、前記段階Ｓ１２及び段階Ｓ１６において、前記ホームロケーションサーバが確認した前記端末のプライバシー情報が非公開状態に設定されている場合、前記ホームロケーションサーバは、前記端末に関する位置情報要求取消メッセージを前記ＬＣＳクライアントに送信する（Ｓ１７）。前記位置情報要求取消メッセージには、前記端末のプライバシー情報が「非公開」状態であることを通知する情報が含まれている。
【００４１】
このような位置情報要求取消方法は、前記ＭＬＰに定義された様々なロケーションサービスのうち、Ｓｔａｎｄａｒｄ  Ｌｏｃａｔｉｏｎ  ＩｍｍｅｄｉａｔｅサービスとＴｒｉｇｇｅｒｅｄ  Ｌｏｃａｔｉｏｎ  Ｒｅｐｏｒｔｉｎｇサービスを利用して行うことができる。前記Ｓｔａｎｄａｒｄ  Ｌｏｃａｔｉｏｎ  Ｉｍｍｅｄｉａｔｅサービスは、ＬＣＳクライアントの位置情報要求に対する応答を直ちに要求する場合に使用されるサービスであり、前記Ｔｒｉｇｇｅｒｅｄ  Ｌｏｃａｔｉｏｎ  Ｒｅｐｏｒｔｉｎｇサービスは、所定の時間間隔で又は特定イベント発生時に移動サービス加入者の位置情報を提供するサービスである。
【００４２】
図５は本発明の第１実施形態による位置情報要求取消方法を示し、位置追跡の対象となる端末がホームロケーションサーバのエリアに属する場合の位置情報要求取消方法について説明する。前記第１実施形態はＳｔａｎｄａｒｄ  Ｌｏｃａｔｉｏｎ  Ｉｍｍｅｄｉａｔｅサービスを利用する。
【００４３】
ＬＣＳクライアント１１０は、特定端末に関する位置情報を要求するために位置情報要求メッセージを、リクエストロケーションサーバ１２０を介してホームロケーションサーバ１３０に送信する（Ｓ２１）。Ｓｔａｎｄａｒｄ  Ｌｏｃａｔｉｏｎ  Ｉｍｍｅｄｉａｔｅサービスにおける前記位置情報要求メッセージは、Ｓｔａｎｄａｒｄ  Ｌｏｃａｔｉｏｎ  Ｉｍｍｅｄｉａｔｅ  Ｒｅｑｕｅｓｔメッセージである。
【００４４】
前記Ｓｔａｎｄａｒｄ  Ｌｏｃａｔｉｏｎ  Ｉｍｍｅｄｉａｔｅ  Ｒｅｑｕｅｓｔメッセージを受信したホームロケーションサーバ１３０は、前記メッセージに対する応答メッセージとしてＳｔａｎｄａｒｄ  Ｌｏｃａｔｉｏｎ  Ｉｍｍｅｄｉａｔｅ  Ａｎｓｗｅｒメッセージを、リクエストロケーションサーバ１２０を介してＬＣＳクライアント１１０に送信する（Ｓ２２）。
【００４５】
次に、ホームロケーションサーバ１３０は、位置追跡の対象となる端末のプライバシー情報を要求するために、Ｌｏｃａｔｉｏｎ  Ｐｒｉｖａｃｙ  Ａｓｓｅｒｔｉｏｎ  Ｒｅｑｕｅｓｔメッセージをプライバシーチェックエンティティ１４０に送信する（Ｓ２３）。プライバシーチェックエンティティ１４０には、前記端末又は他の連動可能な装置により、前記端末の位置情報が公開状態であるか非公開状態であるかを通知するプライバシー情報が保存される。
【００４６】
プライバシーチェックエンティティ１４０は、前記端末のプライバシー情報が含まれているＬｏｃａｔｉｏｎ  Ｐｒｉｖａｃｙ  Ａｓｓｅｒｔｉｏｎ  Ｒｅｓｐｏｎｓｅメッセージをホームロケーションサーバ１３０に送信する（Ｓ２４）。次に、ホームロケーションサーバ１３０は、前記Ｌｏｃａｔｉｏｎ  Ｐｒｉｖａｃｙ  Ａｓｓｅｒｔｉｏｎ  Ｒｅｓｐｏｎｓｅメッセージに含まれているプライバシー情報を確認して、前記端末のプライバシーが「公開」であると前記端末の位置値を算出する（Ｓ２５）。そして、ホームロケーションサーバ１３０は、前記段階Ｓ２３及びＳ２４と同じ方式で、プライバシーチェックエンティティ１４０に設定された前記端末のプライバシー情報を再び確認する（Ｓ２６、Ｓ２７）。ここで、前記Ｌｏｃａｔｉｏｎ  Ｐｒｉｖａｃｙ  Ａｓｓｅｒｔｉｏｎ  Ｒｅｑｕｅｓｔメッセージ及び前記Ｌｏｃａｔｉｏｎ  Ｐｒｉｖａｃｙ  Ａｓｓｅｒｔｉｏｎ  Ｒｅｓｐｏｎｓｅメッセージは、ＰＣＰ（Ｐｒｉｖａｃｙ  Ｃｈｅｃｋ  Ｐｒｏｔｏｃｏｌ）を使用して伝送される。
【００４７】
このとき、端末１５０のプライバシーが「公開」から「非公開」状態に変更されてホームロケーションサーバ１３０が位置情報を送信できない場合、ホームロケーションサーバ１３０は、位置情報要求取消メッセージをＬＣＳクライアント１１０に送信する（Ｓ２８）。ここで、前記ホームロケーションサーバは、前記位置情報要求取消メッセージとして、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信することができる。
【００４８】
前記Ｓｔａｎｄａｒｄ  Ｌｏｃａｔｉｏｎ  Ｉｍｍｅｄｉａｔｅ  Ｒｅｐｏｒｔメッセージ及び前記Ｓｔａｎｄａｒｄ  Ｌｏｃａｔｉｏｎ  Ｉｍｍｅｄｉａｔｅ  Ｓｔｏｐ  Ａｎｓｗｅｒメッセージには、前記ホームロケーションサーバが前記位置情報要求を取り消す理由を示す別途のパラメータが含まれる。前記ホームロケーションサーバは、前記のようなパラメータを含むメッセージの代りに、前記位置情報要求が取り消されたことを通知する専用メッセージ（ｄｅｄｉｃａｔｅｄ  ｍｅｓｓａｇｅ）を使用して、前記ＬＣＳクライアントの位置情報要求を取り消すことができる。
【００４９】
図５においては、前記段階Ｓ２４で前記Ｌｏｃａｔｉｏｎ  Ｐｒｉｖａｃｙ  Ａｓｓｅｒｔｉｏｎ  Ｒｅｓｐｏｎｓｅメッセージに含まれている前記端末のプライバシーが公開であると仮定して前記段階Ｓ２５以後の過程を説明したが、前記端末のプライバシーが非公開状態の場合は、前記段階Ｓ２５〜Ｓ２７を経ることなく段階Ｓ２８が行われる。
【００５０】
図６は本発明の第２実施形態による位置情報要求取消方法を示し、位置追跡の対象となる端末がホームロケーションサーバでない他のロケーションサーバ（ビジットロケーションサーバ）のエリアに属する場合の位置情報要求取消方法について説明する。前記第２実施形態はＳｔａｎｄａｒｄ  Ｌｏｃａｔｉｏｎ  Ｉｍｍｅｄｉａｔｅサービスを利用する。
【００５１】
ＬＣＳクライアント１１０は、特定端末に関する位置情報を要求するために、Ｓｔａｎｄａｒｄ  Ｌｏｃａｔｉｏｎ  Ｉｍｍｅｄｉａｔｅ  Ｒｅｑｕｅｓｔメッセージを、リクエストロケーションサーバ１２０を介してホームロケーションサーバ１３０に送信する（Ｓ３１）。前記Ｓｔａｎｄａｒｄ  Ｌｏｃａｔｉｏｎ  Ｉｍｍｅｄｉａｔｅ  Ｒｅｑｕｅｓｔメッセージを受信したホームロケーションサーバ１３０は、前記メッセージに対する応答メッセージとしてＳｔａｎｄａｒｄ  Ｌｏｃａｔｉｏｎ  Ｉｍｍｅｄｉａｔｅ  ＡｎｓｗｅｒメッセージをＬＣＳクライアント１１０に送信する（Ｓ３２）。
【００５２】
次に、ホームロケーションサーバ１３０は、位置追跡の対象となる端末のプライバシー情報を要求するために、Ｌｏｃａｔｉｏｎ  Ｐｒｉｖａｃｙ  Ａｓｓｅｒｔｉｏｎ  Ｒｅｑｕｅｓｔメッセージをプライバシーチェックエンティティ１４０に送信し（Ｓ３３）、前記端末のプライバシー情報が含まれているＬｏｃａｔｉｏｎ  Ｐｒｉｖａｃｙ  Ａｓｓｅｒｔｉｏｎ  Ｒｅｓｐｏｎｓｅメッセージを受信する（Ｓ３４）。前記プライバシー情報は、前記端末又は他の連動可能な装置によりプライバシーチェックエンティティ１４０に設定された情報であり、前記端末の位置情報が公開状態であるか非公開状態であるかを通知する。ここで、前記ホームロケーションサーバは、前記位置情報要求取消メッセージとして、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に使用することができる。
【００５３】
前記Ｌｏｃａｔｉｏｎ  Ｐｒｉｖａｃｙ  Ａｓｓｅｒｔｉｏｎ  Ｒｅｓｐｏｎｓｅメッセージを受信したホームロケーションサーバ１３０は、前記メッセージに含まれているプライバシー情報により前記端末の位置情報が公開状態であることを確認すると、前記端末の位置を確認する。前記端末がホームサービスエリアに属しないため、ホームロケーションサーバ１３０は、前記端末の位置情報を要求するためのＳｔａｎｄａｒｄ  Ｒｏａｍｉｎｇ  Ｌｏｃａｔｉｏｎ  Ｉｍｍｅｄｉａｔｅ  Ｒｅｑｕｅｓｔメッセージを、前記端末が属するサービスエリアのロケーションサーバ２３０に送信する（Ｓ３５）。ビジットロケーションサーバ２３０は、前記Ｓｔａｎｄａｒｄ  Ｒｏａｍｉｎｇ  Ｌｏｃａｔｉｏｎ  Ｉｍｍｅｄｉａｔｅ  Ｒｅｑｕｅｓｔメッセージに対する応答メッセージ（Ｓｔａｎｄａｒｄ  Ｒｏａｍｉｎｇ  Ｌｏｃａｔｉｏｎ  Ｉｍｍｅｄｉａｔｅ  Ａｎｓｗｅｒ）をホームロケーションサーバ１３０に送信し、前記端末の位置値を算出する（Ｓ３７）。次に、ビジットロケーションサーバ２３０は、前記端末の位置値をＳｔａｎｄａｒｄ  Ｒｏａｍｉｎｇ  Ｌｏｃａｔｉｏｎ  Ｉｍｍｅｄｉａｔｅ  Ｒｅｐｏｒｔメッセージに含めてホームロケーションサーバ１３０に送信する（Ｓ３８）。
【００５４】
前記端末の位置情報を取得したホームロケーションサーバ１３０は、前記位置情報をＬＣＳクライアント１１０に送信するに先立って、プライバシーチェックエンティティ１４０に設定された前記端末のプライバシー情報を再び確認する（Ｓ３９〜Ｓ４０）。
【００５５】
このとき、前記端末のプライバシー情報が変更されてホームロケーションサーバ１３０が前記位置情報を送信できない場合、ホームロケーションサーバ１３０は、位置情報要求取消メッセージをリクエストロケーションサーバ１２０を介してＬＣＳクライアント１１０に送信する（Ｓ４１）。ここで、前記ホームロケーションサーバは、前記位置情報要求取消メッセージとして、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信することができる。
【００５６】
前記Ｓｔａｎｄａｒｄ  Ｌｏｃａｔｉｏｎ  Ｉｍｍｅｄｉａｔｅ  Ｒｅｐｏｒｔメッセージ及び前記Ｓｔａｎｄａｒｄ  Ｌｏｃａｔｉｏｎ  Ｉｍｍｅｄｉａｔｅ  Ｓｔｏｐ  Ａｎｓｗｅｒメッセージには、前記ホームロケーションサーバが前記位置情報要求を取り消す理由を示す別途のパラメータが含まれる。前記ホームロケーションサーバは、前記のようなパラメータを含むメッセージの代りに、前記位置情報要求が取り消されたことを通知する専用メッセージを使用して、前記ＬＣＳクライアントの位置情報要求を取り消すことができる。
【００５７】
図７は本発明の第３実施形態による位置情報要求取消方法を示し、位置追跡の対象となる端末がホームロケーションサーバのエリアに属する場合の位置情報要求取消方法について説明する。前記第３実施形態はＴｒｉｇｇｅｒｅｄ  Ｌｏｃａｔｉｏｎ  Ｒｅｐｏｒｔｉｎｇサービスを利用する。
【００５８】
ＬＣＳクライアント１１０は、特定端末に関する位置情報を要求するために、位置情報要求メッセージをリクエストロケーションサーバ１２０を介してホームロケーションサーバ１３０に送信する（Ｓ５１）。ここで、前記位置情報要求メッセージは、Ｔｒｉｇｇｅｒｅｄ  Ｌｏｃａｔｉｏｎ  Ｒｅｐｏｒｔｉｎｇ  Ｒｅｑｕｅｓｔメッセージであり、前記メッセージに設定された時間間隔で又は特定イベント発生時にホームロケーションサーバ１３０が端末の位置追跡を行うように要求するために送信されるメッセージである。
【００５９】
前記Ｔｒｉｇｇｅｒｅｄ  Ｌｏｃａｔｉｏｎ  Ｒｅｐｏｒｔｉｎｇ  Ｒｅｑｕｅｓｔメッセージを受信したホームロケーションサーバ１３０は、応答メッセージとしてＴｒｉｇｇｅｒｅｄ  Ｌｏｃａｔｉｏｎ  Ｒｅｐｏｒｔｉｎｇ  ＡｎｓｗｅｒメッセージをＬＣＳクライアント１１０に送信し（Ｓ５２）、前記端末のプライバシー情報を要求するＬｏｃａｔｉｏｎ  Ｐｒｉｖａｃｙ  Ａｓｓｅｒｔｉｏｎ  Ｒｅｑｕｅｓｔメッセージをプライバシーチェックエンティティ１４０に送信する（Ｓ５３）。プライバシーチェックエンティティ１４０には、前記端末又は他の連動可能な装置により設定された前記端末のプライバシー情報が保存されており、前記プライバシー情報は、前記端末の位置情報が公開状態であるか非公開状態であるかを通知する。
【００６０】
前記Ｌｏｃａｔｉｏｎ  Ｐｒｉｖａｃｙ  Ａｓｓｅｒｔｉｏｎ  Ｒｅｑｕｅｓｔメッセージを受信したプライバシーチェックエンティティ１４０は、前記端末のプライバシー情報をＬｏｃａｔｉｏｎ  Ｐｒｉｖａｃｙ  Ａｓｓｅｒｔｉｏｎ  Ｒｅｓｐｏｎｓｅメッセージに含めてホームロケーションサーバ１３０に送信する。ここで、前記Ｌｏｃａｔｉｏｎ  Ｐｒｉｖａｃｙ  Ａｓｓｅｒｔｉｏｎ  Ｒｅｑｕｅｓｔメッセージ及び前記Ｌｏｃａｔｉｏｎ  Ｐｒｉｖａｃｙ  Ａｓｓｅｒｔｉｏｎ  Ｒｅｓｐｏｎｓｅメッセージは、ＰＣＰを使用して伝送される。
【００６１】
ホームロケーションサーバ１３０は、前記端末のプライバシーが「非公開」状態であることを確認すると、位置情報要求取消メッセージをＬＣＳクライアント１１０に送信する。ここで、前記位置情報要求取消メッセージが、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージである。
【００６２】
一方、ホームロケーションサーバ１３０は、前記端末のプライバシーが「公開」状態であることを確認すると、前記Ｔｒｉｇｇｅｒｅｄ  Ｌｏｃａｔｉｏｎ  Ｒｅｐｏｒｔｉｎｇ  Ｒｅｑｕｅｓｔメッセージに設定された時間間隔で、又はイベント発生時、前記端末の位置追跡を行って位置値を算出する（Ｓ５５）。次に、ホームロケーションサーバ１３０は、プライバシーチェックエンティティ１４０により端末１５０のプライバシー情報がアップデートされたか否かを確認する（Ｓ５６、Ｓ５７）。
【００６３】
前記端末のプライバシーが「公開」から「非公開」状態にアップデートされた場合、ホームロケーションサーバ１３０は、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  ＡｎｓｗｅｒメッセージをＬＣＳクライアント１１０に送信する（Ｓ５８）。前記Ｔｒｉｇｇｅｒｅｄ  Ｌｏｃａｔｉｏｎ  Ｒｅｐｏｒｔメッセージ及び前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージには、位置情報要求が取り消される理由を示すパラメータが含まれる。前記ホームロケーションサーバは、前記のようなパラメータを含むメッセージの代りに、前記位置情報要求が取り消されたことを通知する専用メッセージを使用して、前記ＬＣＳクライアントの位置情報要求を取り消すことができる。
【００６４】
一方、前記Ｔｒｉｇｇｅｒｅｄ  Ｌｏｃａｔｉｏｎ  Ｒｅｐｏｒｔメッセージ又は前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージを送信したホームロケーションサーバ１３０は、ホームロケーションサーバ自身に保存されていた前記端末の位置追跡の設定を取り消すことができる。
【００６５】
図８は本発明の第４実施形態による位置情報要求取消方法を示し、位置追跡の対象となる端末がホームロケーションサーバでない他のロケーションサーバ（ビジットロケーションサーバ）のサービスエリアに属する場合の位置情報要求取消方法について説明する。前記第４実施形態はＴｒｉｇｇｅｒｅｄ  Ｌｏｃａｔｉｏｎ  Ｒｅｐｏｒｔｉｎｇサービスを利用する。
【００６６】
ＬＣＳクライアント１１０は、特定端末に関する位置情報を要求するために、Ｔｒｉｇｇｅｒｅｄ  Ｌｏｃａｔｉｏｎ  Ｒｅｐｏｒｔｉｎｇ  Ｒｅｑｕｅｓｔメッセージをホームロケーションサーバ１３０に送信する（Ｓ６１）。前記Ｔｒｉｇｇｅｒｅｄ  Ｌｏｃａｔｉｏｎ  Ｒｅｐｏｒｔｉｎｇ  Ｒｅｑｕｅｓｔメッセージを受信したホームロケーションサーバ１３０は、前記メッセージに対する応答メッセージとしてＴｒｉｇｇｅｒｅｄ  Ｌｏｃａｔｉｏｎ  Ｒｅｐｏｒｔｉｎｇ  ＡｎｓｗｅｒメッセージをＬＣＳクライアント１１０に送信し（Ｓ６２）、Ｌｏｃａｔｉｏｎ  Ｐｒｉｖａｃｙ  Ａｓｓｅｒｔｉｏｎ  Ｒｅｑｕｅｓｔメッセージをプライバシーチェックエンティティ１４０に送信することにより、位置追跡の対象となる端末のプライバシー情報を要求する（Ｓ６３）。プライバシーチェックエンティティ１４０には、前記端末又は他の連動可能な装置により設定された前記端末のプライバシー情報が予め保存されており、前記プライバシー情報は、前記端末の位置情報が公開状態であるか非公開状態であるかを通知する。
【００６７】
前記Ｌｏｃａｔｉｏｎ  Ｐｒｉｖａｃｙ  Ａｓｓｅｒｔｉｏｎ  Ｒｅｑｕｅｓｔメッセージを受信したプライバシーチェックエンティティ１４０は、前記端末のプライバシー情報をＬｏｃａｔｉｏｎ  Ｐｒｉｖａｃｙ  Ａｓｓｅｒｔｉｏｎ  Ｒｅｓｐｏｎｓｅメッセージに含めてホームロケーションサーバ１３０に送信する（Ｓ６４）。ここで、前記Ｌｏｃａｔｉｏｎ  Ｐｒｉｖａｃｙ  Ａｓｓｅｒｔｉｏｎ  Ｒｅｑｕｅｓｔメッセージ及び前記Ｌｏｃａｔｉｏｎ  Ｐｒｉｖａｃｙ  Ａｓｓｅｒｔｉｏｎ  Ｒｅｓｐｏｎｓｅメッセージは、ＰＣＰを使用して伝送される。
【００６８】
ホームロケーションサーバ１３０は、前記端末のプライバシーが「公開」状態であることを確認すると、Ｔｒｉｇｇｅｒｅｄ  Ｒｏａｍｉｎｇ  Ｌｏｃａｔｉｏｎ  Ｒｅｐｏｒｔｉｎｇ  Ｒｅｑｕｅｓｔメッセージを、前記端末が移動したサービスエリアのロケーションサーバ２３０に送信し（Ｓ６５）、ビジットロケーションサーバ２３０は、応答メッセージとしてＴｒｉｇｇｅｒｅｄ  Ｒｏａｍｉｎｇ  Ｌｏｃａｔｉｏｎ  Ｒｅｐｏｒｔｉｎｇ  Ａｎｓｗｅｒメッセージを送信する（Ｓ６６）。
【００６９】
ビジットロケーションサーバ２３０は、前記Ｔｒｉｇｇｅｒｅｄ  Ｒｏａｍｉｎｇ  Ｌｏｃａｔｉｏｎ  Ｒｅｐｏｒｔｉｎｇ  Ｒｅｑｕｅｓｔメッセージに設定された時間間隔で、又はイベント発生時、前記端末の位置追跡を行って位置値を算出する（Ｓ６７）。次に、ビジットロケーションサーバ２３０は、前記端末の位置値が含まれているＴｒｉｇｇｅｒｅｄ  Ｒｏａｍｉｎｇ  Ｌｏｃａｔｉｏｎ  Ｒｅｐｏｒｔメッセージをホームロケーションサーバ１３０に送信する（Ｓ６８）。ここで、ホームロケーションサーバ１３０とビジットロケーションサーバ２３０間で送受信されるＴｒｉｇｇｅｒｅｄ  Ｒｏａｍｉｎｇ  Ｌｏｃａｔｉｏｎ  Ｒｅｐｏｒｔｉｎｇ  Ｒｅｑｕｅｓｔメッセージ、Ｔｒｉｇｇｅｒｅｄ  Ｒｏａｍｉｎｇ  Ｌｏｃａｔｉｏｎ  Ｒｅｐｏｒｔｉｎｇ  Ａｎｓｗｅｒメッセージ、及びＴｒｉｇｇｅｒｅｄ  Ｒｏａｍｉｎｇ  Ｌｏｃａｔｉｏｎ  Ｒｅｐｏｒｔメッセージは、ＲＬＰにより伝送される。
【００７０】
ホームロケーションサーバ１３０は、前記Ｔｒｉｇｇｅｒｅｄ  Ｒｏａｍｉｎｇ  Ｌｏｃａｔｉｏｎ  Ｒｅｐｏｒｔメッセージにより前記端末の位置を把握した後、プライバシーチェックエンティティ１４０により前記端末のプライバシー情報がアップデートされたか否かを確認する（Ｓ６９、Ｓ７０）。
【００７１】
前記プライバシー情報がアップデートされてホームロケーションサーバ１３０が前記端末の位置情報を送信できない場合、ホームロケーションサーバ１３０は、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  ＡｎｓｗｅｒメッセージをＬＣＳクライアント１１０に送信する（Ｓ７１）。前記Ｔｒｉｇｇｅｒｅｄ  Ｌｏｃａｔｉｏｎ  Ｒｅｐｏｒｔメッセージ及び前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージには、位置情報要求が取り消される理由を示すパラメータが含まれる。前記ホームロケーションサーバは、前記のようなパラメータを含むメッセージの代りに、前記位置情報要求が取り消されたことを通知する専用メッセージを使用して、前記ＬＣＳクライアントの位置情報要求を取り消すことができる。一方、ホームロケーションサーバ１３０は、Ｃａｎｃｅｌｌａｔｉｏｎ  Ｒｅｑｕｅｓｔメッセージをビジットロケーションサーバ２３０に送信することにより、端末１５０に対する位置追跡の要求を取り消すことができる（Ｓ７２）。すなわち、ホームロケーションサーバ１３０は、前記位置情報要求メッセージをＬＣＳクライアント１１０に送信する前、送信と同時、又は送信した後に、前記Ｃａｎｃｅｌｌａｔｉｏｎ  Ｒｅｑｕｅｓｔメッセージを送信することができる。
【００７２】
前述のように、Ｔｒｉｇｇｅｒｅｄ  Ｌｏｃａｔｉｏｎ  Ｒｅｐｏｒｔｉｎｇサービスにおいて、ロケーションサーバがＬＣＳクライアントの位置情報要求を取り消すために送信する位置情報要求取消メッセージは、前記Ｔｒｉｇｇｅｒｅｄ  Ｌｏｃａｔｉｏｎ  Ｒｅｐｏｒｔメッセージ又は前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージである。ここで、前記ロケーションサーバは、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージを受信していない場合も、前記Ｔｒｉｇｇｅｒｅｄ  Ｌｏｃａｔｉｏｎ  Ｒｅｐｏｒｔｉｎｇ  Ｓｔｏｐ  Ａｎｓｗｅｒメッセージを前記ＬＣＳクライアントに送信することができる。
【００７３】
図９は本発明によるＸＭＬで実現した位置情報要求取消メッセージを示し、これに示すように、前記位置情報要求取消メッセージには、「ＣＡＮＣＥＬＬＡＴＩＯＮ  ＯＦ  ＴＲＩＧＧＥＲＥＤ  ＬＯＣＡＴＩＯＮ  ＲＥＱＵＥＳＴ」又は「ＰＲＩＶＡＣＹ  ＰＲＯＦＩＬＥ  ＣＨＡＮＧＥＤ」のパラメータが含まれる。例えば、追跡の対象となる端末のプライバシー情報がアップデートされてロケーションサーバが位置情報を提供できない場合、位置情報要求取消メッセージには、該当結果コード（Ｒｅｓｉｄ＝１１６）と共に該当パラメータ「ＰＲＩＶＡＣＹ  ＰＲＯＦＩＬＥ  ＣＨＡＮＧＥＤ」が含まれる。また、ロケーションサーバが独自に位置情報要求を取り消す場合、位置情報要求取消メッセージには、該当結果コード（Ｒｅｓｉｄ＝１１４）と共に前記要求されたトリガー位置通知（ｔｒｉｇｇｅｒｅｄ  ｌｏｃａｔｉｏｎ  ｒｅｐｏｒｔ）が取り消されたことを意味するパラメータ「ＣＡＮＣＥＬＬＡＴＩＯＮ  ＯＦ  ＴＲＩＧＧＥＲＥＤ  ＬＯＣＡＴＩＯＮ  ＲＥＱＵＥＳＴ」が含まれる。
【００７４】
下記表は前記要求の結果又は個別の位置追跡を示す結果コードの一部を定義している。特定要求エラー（ｒｅｑｕｅｓｔ  ｓｐｅｃｉｆｉｃ  ｅｒｒｏｒｓ）に対するエラーコードの範囲は１００〜１９９である。
【００７５】
【表１】
2008522541.tif 000003
前記結果コード及びパラメータは、前記実施形態１及び実施形態２では、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージに含まれ、前記実施形態３及び実施形態４では、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｓｔｏｐ  Ａｎｓｗｅｒメッセージに含まれる。
【００７６】
本発明は位置情報要求取消方法を行うロケーションサーバを提供する。前記ロケーションサーバは、トランシーバモジュール、プライバシーチェックモジュール、及びプロセッサを含む。前記トランシーバモジュールは、外部クライアントから位置追跡の対象である特定端末に関する位置情報要求を受信する。前記受信された位置情報の要求は、前記端末のプライバシー情報がアップデートされる場合に取り消される。また、前記トランシーバモジュールは、前記受信された位置情報要求を取り消すための位置情報要求取消を前記外部クライアントに送信する。ここで、前記位置情報要求取消は、前記位置情報要求が取り消される理由を示すパラメータを含む。前記プライバシーチェックモジュールは、前記位置情報要求を受信すると、プライバシーチェックエンティティ内に設定された端末のプライバシー情報を確認する。前記プロセッサは、前記トランシーバモジュール及び前記プライバシーチェックモジュールと連動して、前記確認されたプライバシー情報に応じて前記受信された位置情報要求を取り消す。
【００７７】
ここで、前記端末が前記ロケーションサーバのサービスエリアに属する場合、前記プロセッサは前記端末の位置を算出し、前記端末のプライバシー情報が公開状態でない場合、前記トランシーバモジュールは、前記外部クライアントの位置通知中断要求なしに前記位置情報要求取消を送信する。前記位置情報要求がＳｔａｎｄａｒｄ  Ｌｏｃａｔｉｏｎ  Ｉｍｍｅｄｉａｔｅ  Ｒｅｑｕｅｓｔメッセージで、かつ前記端末のプライバシー情報が公開状態でない場合、前記プロセッサと前記トランシーバモジュールとは連動して、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信する。前記位置情報要求がＴｒｉｇｇｅｒｅｄ  Ｌｏｃａｔｉｏｎ  Ｒｅｐｏｒｔｉｎｇ  Ｒｅｑｕｅｓｔメッセージで、かつ前記Ｔｒｉｇｇｅｒｅｄ  Ｌｏｃａｔｉｏｎ  Ｒｅｐｏｒｔｉｎｇ  Ｒｅｑｕｅｓｔメッセージの条件を満たす場合、前記端末の位置を算出してプライバシー情報を確認し、前記端末のプライバシー情報が公開状態でない場合、前記プロセッサと前記トランシーバモジュールとは連動して、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージを選択的に送信する。
【００７８】
これに対し、前記端末が他のロケーションサーバのサービスエリアに属する場合、前記ロケーションサーバは、前記位置情報要求を前記他のロケーションサーバに送信する。前記端末のプライバシー情報が公開状態でない場合、前記トランシーバモジュールは、前記外部クライアントの位置通知中断要求なしに前記位置情報要求取消を送信する。前記位置情報要求がＳｔａｎｄａｒｄ  Ｌｏｃａｔｉｏｎ  Ｉｍｍｅｄｉａｔｅ  Ｒｅｑｕｅｓｔメッセージの場合、前記端末に関する位置情報要求メッセージは前記他のロケーションサーバに送信され、前記端末の位置情報を含む位置情報通知メッセージは前記他のロケーションサーバから受信される。前記端末のプライバシー情報が公開状態でない場合、前記プロセッサと前記トランシーバモジュールとは連動して、Ｓｔａｎｄａｒｄ  Ｌｏｃａｔｉｏｎ  Ｉｍｍｅｄｉａｔｅ  Ｓｔｏｐ  Ｒｅｑｕｅｓｔメッセージなしに、Ｓｔａｎｄａｒｄ  Ｌｏｃａｔｉｏｎ  Ｉｍｍｅｄｉａｔｅ  Ｒｅｐｏｒｔメッセージ又はＳｔａｎｄａｒｄ  Ｌｏｃａｔｉｏｎ  Ｉｍｍｅｄｉａｔｅ  Ｓｔｏｐ  Ａｎｓｗｅｒメッセージを選択的に送信する。前記位置情報要求がＴｒｉｇｇｅｒｅｄ  Ｌｏｃａｔｉｏｎ  Ｒｅｐｏｒｔｉｎｇ  Ｒｅｑｕｅｓｔメッセージの場合、前記端末に関する位置情報要求メッセージは前記他のロケーションサーバに送信され、前記端末の位置情報を含む位置情報通知メッセージは前記他のロケーションサーバから受信される。前記端末のプライバシー情報が公開状態でない場合、前記プロセッサと前記トランシーバモジュールとは連動して、Ｔｒｉｇｇｅｒｅｄ  Ｌｏｃａｔｉｏｎ  Ｒｅｐｏｒｔｉｎｇ  Ｓｔｏｐ  Ｒｅｑｕｅｓｔメッセージなしに、Ｔｒｉｇｇｅｒｅｄ  Ｌｏｃａｔｉｏｎ  Ｒｅｐｏｒｔメッセージ又はＴｒｉｇｇｅｒｅｄ  Ｌｏｃａｔｉｏｎ  Ｒｅｐｏｒｔｉｎｇ  Ｓｔｏｐ  Ａｎｓｗｅｒメッセージを選択的に送信する。
【００７９】
前述した実施形態と利点は本発明を制限するものでなく、単なる例示にすぎない。本発明は、他の形態の装置にも容易に適用できる。本発明の詳細な説明は特許請求の範囲を制限するものでなく、単なる説明の便宜のためのものである。本発明の属する技術の分野における通常の知識を有する者であれば多様な代案、変更、変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図面の簡単な説明】
【００８０】
本発明の理解を助けるために添付されて本明細書の一部を構成する図面は、明細書と共に本発明の原理を説明するための本発明の多様な実施形態を示す。
【図１】本発明によるロケーションサービス提供システムの構成を示す図である。
【図２】本発明によるＬＣＳクライアントとロケーションサーバ間の位置情報要求取消方法を示す図である。
【図３】本発明によるロケーションサーバ間の位置情報要求取消方法を示す図である。
【図４】本発明によるロケーションサービス方法を示す図である。
【図５】本発明の第１実施形態による位置情報要求取消方法を示す図である。
【図６】本発明の第２実施形態による位置情報要求取消方法を示す図である。
【図７】本発明の第３実施形態による位置情報要求取消方法を示す図である。
【図８】本発明の第４実施形態による位置情報要求取消方法を示す図である。
【図９】本発明によるＸＭＬで実現した位置情報要求取消メッセージを示す図である。
【図１】
2008522541.tif 000004
【図２】
2008522541.tif 000005
【図３】
2008522541.tif 000006
【図４】
2008522541.tif 000007
【図５】
2008522541.tif 000008
【図６】
2008522541.tif 000009
【図７】
2008522541.tif 000010
【図８】
2008522541.tif 000011
【図９】
2008522541.tif 000012
【手続補正書】
【提出日】平成19年5月31日(2007.5.31)
【手続補正１】
【補正対象書類名】明細書
【補正対象項目名】００４０
【補正方法】変更
【補正の内容】
【００４０】
しかし、前記段階Ｓ１１及び段階Ｓ１７において、前記ホームロケーションサーバが確認した前記端末のプライバシー情報が非公開状態に設定されている場合、前記ホームロケーションサーバは、前記端末に関する位置情報要求取消メッセージを前記ＬＣＳクライアントに送信する（Ｓ１８）。前記位置情報要求取消メッセージには、前記端末のプライバシー情報が「非公開」状態であることを通知する情報が含まれている。
【国際調査報告】
2008522541.tif 000013
2008522541.tif 000014